(57)【要約】【課題】  構造を簡素化しつつ、十分な乾燥を実現できる乾燥機を提供する。【解決手段】  回転ドラム１は回転軸６，７周りを回転する。一方の回転軸７は温風の吸気手段を構成し、他方の回転軸６は温風の排気手段を構成する。回転ドラム１の回転動作と吸気手段及び排気手段による温風の吸排気によって、被乾燥処理物を混合しつつ、全体を万遍なく乾燥させることができる。【選択図】        図１
2017015337.tif 000002
【特許請求の範囲】
【請求項１】
粉末材料等の被乾燥処理物を収容する容器と、当該容器を乗載する支持手段と、前記容器を前記支持手段に対して所定の角度範囲で回転させる回転手段からなり、当該回転手段を構成する回転軸の一方に吸気手段を備え、かつ、前記回転手段を構成する回転軸の他方に排気手段を備えて構成したことを特徴とする乾燥機。
【請求項２】
前記吸気手段は、前記支持手段に回転可能に支持される回転軸と、該回転軸の一方端を前記容器に連結して当該容器と共動回転するよう構成し、かつ、当該回転軸の中空部に形成した流路を介して前記容器外部と容器内部を連通し、前記容器内に挿入した前記回転軸の一方端には前記容器内の被乾燥処理物が前記回転軸の流路から容器外部へ漏出することを防止するフィルタを備えて構成したことを特徴とする請求項１記載の乾燥機。
【請求項３】
前記排気手段は、前記支持手段に回転可能に支持される回転軸と、該回転軸の一方端を前記容器に連結して当該容器と共動回転するよう構成し、かつ、当該回転軸の中空部に形成した流路を介して前記容器外部と容器内部を連通し、前記容器内に挿入した前記回転軸の一方端には前記容器内の被乾燥処理物が前記回転軸の流路から容器外部へ漏出することを防止するフィルタと、当該フィルタ周りに前記被乾燥処理物が堆積することを防止するカバー体を備えて構成したことを特徴とする請求項１記載の乾燥機。
【発明の詳細な説明】
【技術分野】
【０００１】
本発明は、粉末材料等の被乾燥処理物を容器内で乾燥処理する乾燥機の改良に関する。
【背景技術】
【０００２】
従来、容器内で粉末材料等の被乾燥処理物を混合しつつ、容器内に温風等を給送して乾燥処理する乾燥装置が知られている（下記特許文献参照）。
【先行技術文献】
【特許文献】
【０００３】
【特許文献１】特許第３７３４９８５号
【０００４】
上記特許文献記載の乾燥装置は、回転ドラムを所定の角度で傾斜させた状態で回転させるとともに、温風給気口から温風を給送し、かつ、温風排気口から前記温風を強制的に排気する。その結果、前記回転ドラム内に収容した被乾燥処理物は、温風によって回転ドラムの軸方向（長さ方向）に吹き飛ばされるとともに、回転ドラムの回転運動によって外側から内側方向に巻き込まれて、万遍なく温風と接触するので、大量の被乾燥処理物を比較的少量の温風で乾燥させることができる利点を有する。
【発明の概要】
【発明が解決しようとする課題】
【０００５】
しかし、上記構成の乾燥装置は、被乾燥処理物を万遍なく温風と接触させて乾燥させることはできるが、被乾燥処理物を収容する回転ドラムは、これを傾斜させる動作と回転させる動作を実現しなければならず、装置が複雑かつ大型化してしまう問題がある。
【０００６】
また、被乾燥処理物を回転ドラムから排出する場合にも、温風排気口が斜め下向きとなるように所定の角度傾斜させた状態で回転ドラムを回転させることにより、回転ドラム内の被乾燥処理物を温風排気口から排出させる必要があり、複雑な動作が必要となる。
【０００７】
本発明は、上記問題に鑑み、装置の構成を極力簡素化しつつ、被乾燥処理物の乾燥能力はそのままに、容器内から被乾燥処理物を排出する作業も単純化することのできる改良した乾燥機を提供することを目的とする。
【課題を解決するための手段】
【０００８】
請求項１記載の発明は、粉末材料等の被乾燥処理物を収容する容器と、当該容器を乗載する支持手段と、前記容器を前記支持手段に対して所定の角度範囲で回転させる回転手段からなり、当該回転手段を構成する回転軸の一方に吸気手段を備え、かつ、前記回転手段を構成する回転軸の他方に排気手段を備えて乾燥機を構成したことに特徴を有する。
【０００９】
請求項２記載の発明は、請求項１記載の発明の吸気手段を、支持手段に回転可能に支持される回転軸と、回転軸の一方端を容器内に挿入して当該容器と共動回転するよう構成し、かつ、回転軸の中空部に形成した流路を介して容器外部と容器内部を連通し、容器内に挿入した回転軸の一方端には容器内の被乾燥処理物が回転軸の流路から容器外部へ漏出することを防止するフィルタを備えて構成したことに特徴を有する。
【００１０】
請求項３記載の発明は、請求項１記載の発明の排気手段を、前記支持手段に回転可能に支持される回転軸と、回転軸の一方端を容器内に挿入して当該容器と共動回転するよう構成し、かつ、回転軸の中空部に形成した流路を介して容器外部と容器内部を連通し、容器内に挿入した回転軸の一方端には容器内の被乾燥処理物が回転軸の流路から容器外部へ漏出することを防止するフィルタと、該フィルタの周りに前記被乾燥処理物が堆積することを防止するカバー体を備えて構成したことに特徴を有する。
【発明の効果】
【００１１】
請求項１記載の発明によれば、単純な装置構成で、容器の回転角度範囲を拡大しつつ、回転動作のみによって被乾燥処理物を充分に混合しつつ、全体を万遍なく乾燥処理することが可能となる。
【００１２】
請求項２記載の発明によれば、容器の回転動作に必要な回転軸を利用して吸気手段を構成したので、回転軸と別途、吸気手段を設ける必要はなく、装置構成をより簡素化できる。
【００１３】
請求項３記載の発明によれば、容器の回転動作に必要な回転軸を利用して排気手段を構成したので、回転軸と別途、排気手段を設ける必要はなく、装置構成を簡素化できるとともに、排気手段に備えるフィルタの周囲にはカバー体が具備されているので、被乾燥処理物が排気手段のフィルタ周りに堆積して排気効率が低下することを防止できる。
【図面の簡単な説明】
【００１４】
【図１】本発明の乾燥機の正面図と縦断面図の結合図である。
【図２】本発明の乾燥機の吸気手段を拡大して示す縦断面図である。
【図３】本発明の乾燥機の排気手段を拡大して示す縦断面図である。
【図４】本発明の乾燥機を回転動作させたときの側面図である。
【発明を実施するための形態】
【００１５】
以下、本発明の実施の形態を図１乃至図４により説明する。図１において、Ａは本発明の乾燥機を示しており、１は粉末材料等の被乾燥処理物を収容するための容器（以下、回転ドラムという）であり、長手方向の一方端（図１の上側）に図示しない被乾燥処理物の投入・排出口２を備えている。
【００１６】
３はアングル鋼等によって枠組して形成した支持台であり、図示しない軸受よって支持座４，５に回転可能に枢支した回転軸６，７を介して回転ドラム１を支えている。
【００１７】
８は回転軸６に止着したスプロケットであり、支持台３の下部に設置した電動機９（ギヤードモータ等）の回転出力をベルト１０で受けて回転する。
【００１８】
図２に本発明の要部の１つである吸気手段１１を示す。吸気手段１１は回転軸７を利用して構成されており、支持台３を構成する支持座５の中空部１２に中空筒状の回転軸７を挿通しており、回転軸７の一方端（図２の左方端）の外周部は軸受１３を介して支持座５に回転可能に枢支されている。回転軸７の左方端の開口部１４には中空状のノズル１５が取り付けられ、図示しない熱源としてのヒータと送風機等によって構成される温風発生装置からの温風を回転軸７の流路１６内に給送するように構成されている。
【００１９】
回転軸７の他方端（図２の右方端）は、回転ドラム１内へ没入・固定されており、その開口部１７には、回転ドラム１内の図示しない被乾燥処理物が回転軸７の流路１６を通って回転ドラム１の外部へ漏出することを防ぐフィルタ１８が止着されている。
【００２０】
図３は本発明のもう１つの要部である排気手段１９を示している。排気手段１９は回転軸６を利用して構成されており、支持台３を構成する支持座４の中空部２０に中空筒状の回転軸６を挿通しており、回転軸６の一方端（図３の右方端）の外周部は支持座４に回転可能に枢支されている。回転軸６の右方端の外周部にはスプロケット８が回転軸６と共動回転するように取り付けられている。
【００２１】
回転軸６の他方端（図３の左方端）は、回転ドラム１内へ没入・固定されており、その開口部２１には、回転ドラム１内の図示しない被乾燥処理物が回転軸６の流路２２を通って回転ドラム１の外部へ漏出することを防ぐフィルタ２３が止着されている。
【００２２】
また、回転軸６の左方端には、回転ドラム１内の図示しない被乾燥処理物がフィルタ２３周りに堆積して排気を阻害することを防止するカバー体２４が取り付けられている。なお、回転軸６の右方端は、図示しない排風機等からなる温風排出装置と接続されている。
【００２３】
次に上記乾燥機Ａにおいて、被乾燥処理物を乾燥処理する場合について説明する。粉末材料等の被乾燥処理物を乾燥処理する場合は、回転ドラム１が垂直上向きの状態から、投入・排出口２が斜め上向きになるように傾斜させた後、被乾燥処理物を投入・排出口２から回転ドラム１内に投入する。
【００２４】
被乾燥処理物の投入が完了したら、投入・排出口２を図示しない蓋で閉じ、図１に示す乾燥機Ａの電動機９を駆動することで、ベルト１０を介してスプロケット８を回転させる。スプロケット８の回転は回転軸６に伝達され、回転軸６は支持台３の支持座４内に備えた図示しない軸受を利用して回転する。
【００２５】
回転軸６は回転ドラム１に連結されており、回転ドラム１は他方の回転軸７によって支持台３を構成する支持座５の図２に示す軸受１３を利用して回転することで、回転軸６，７に連結されている回転ドラム１は、回転軸６，７を軸心として図４に示すように回転する。
【００２６】
回転ドラム１の回転は、図示しない制御装置にあらかじめ設定した制御プログラムが電動機９を駆動制御することで実現するものであり、回転ドラム１の回転角度範囲や回転速度は、回転ドラム１内の被乾燥処理物の種類や投入量等に応じて最適な値に設定される。なお、本実施例では、回転ドラム１の回転角度範囲を図４に示す１８０度程度の範囲に設定した場合について説明する。
【００２７】
回転ドラム１が回転したら、図２に示す回転軸７に取り付けたノズル１５を介して、図示しない温風発生装置から給送される温風を回転軸７の流路１６内に送り込む。
【００２８】
送り込まれた温風は回転軸７の右端部に取り付けたフィルタ１８を介して回転ドラム１内に給気され、回転ドラム１内の被乾燥処理物と接触し、これを乾燥させる。このとき、回転ドラム１は前述した通り広い角度範囲で回転動作しているので、回転ドラム１内の被乾燥処理物は、回転ドラム１の回転動作によって十分に混合されながら温風が吹き付けられことにより、被乾燥処理物全体が万遍なく温風と接触し、乾燥効率を高めることができる。
【００２９】
被乾燥処理物と接触することにより湿気を帯びた温風は、図３に示す排気手段１９に取り付けた図示しない排風機の吸引力によって、フィルタ２３から回転軸６内の流路２２を通って回転軸６外部へ排出される。
【００３０】
このとき、回転軸６のフィルタ２３周りには、これを囲繞するカバー体２４が取り付けられているので、回転ドラム１の回転動作によっても被乾燥処理物がフィルタ２３周りに堆積することはなく、フィルタ２３を通した排気を阻害することはない。また、回転ドラム１内の被乾燥処理物は、吸気手段１１及び排気手段１９の各フィルタ１８，２３によって回転ドラム１外へ漏出することはない。
【００３１】
一方で、上述の排気動作を繰り返すことにより、排気手段１９のフィルタ２３に粉末材料等からなる被乾燥処理物が付着して目詰まりを生じることもあるが、この場合は、エアーを排気手段１９の右方端側（図示しない排風機側）から左方端側（回転ドラム１側）へ吹付ける逆洗や、バイブレータによる振動を利用して目詰まりを解消すれば良い。
【００３２】
上記の如く被乾燥処理物を充分に乾燥させたら、電動機９の駆動を停止させて回転ドラム１の回転動作を終了させるとともに、図示しない温風発生装置及び温風排出装置を停止させる。その後、投入・排出口２の図示しない蓋を開け、回転ドラム１を垂直下向きの状態へ回転させて、投入・排出口２から被乾燥処理物を外部に取り出して、被乾燥処理物の乾燥処理を終了する。
【００３３】
以上のように、本発明の乾燥機Ａによれば、回転ドラム１を広い角度範囲で回転させることができるので、回転動作のみで被乾燥処理物を充分に混合することができ、従来のように回転ドラムの傾斜と回転動作の双方を実現する複雑な構造を備えることなく被乾燥処理物全体を万遍なく乾燥させることができる。
【００３４】
また、被乾燥処理物を乾燥させる温風は回転軸６，７を利用して吸気及び排気できるので、吸排気を実現するために別途の機構を備える必要はなく、装置構造を簡素化することができる。
【００３５】
なお、吸気手段１１を構成する回転軸７の流路１６の径（配管径）の大きさに応じて、回転ドラム１内に送り込む温風の風速を調節することができる。吸気手段１１に接続される図示しない温風発生装置の送り出し温風量が一定であっても、例えば、流路１６の径を大きくすることによって、温風の風速を遅くできるし、逆に径を小さくとることによって、温風の風速を速くすることができる。したがって、被乾燥処理物の特性に応じて温風の風速を種々変更させるが可能となる。
【産業上の利用可能性】
【００３６】
本発明は、容器内の被乾燥処理物を乾燥処理するあらゆる装置に適用可能である。
【符号の説明】
【００３７】
１  回転ドラム
２  投入・排出口
３  支持台
４，５  支持座
６，７  回転軸
８  スプロケット
９  電動機
１０  ベルト
１１  吸気手段
１２，２０  中空部
１３  軸受
１４，１７，２１  開口部
１５  ノズル
１６，２２  流路
１８，２３  フィルター
１９  排気手段
２４  カバー体
Ａ  乾燥機
【図１】
2017015337.tif 000003
【図２】
2017015337.tif 000004
【図３】
2017015337.tif 000005
【図４】
2017015337.tif 000006